(57)【要約】  アンテナ間の電力の平衡を保つための方法及び装置、そして基地局が提供される。方法は、ｎ個の仮想アンテナ信号に直交行列を乗算してｎ個の中間調節信号を獲得する段階と、アンテナによって出力されるｎ個の物理アンテナ信号の内の少なくとも２個の間に位相差が存在するように対応する回転位相を使用してｎ個の中間調節信号の内のｍ個の位相を回転させる段階とを含み、ｎは“ｎ≧２”を満たす整数であり、ｍは“１≦ｍ≦ｎ”を満たす整数である。ここで開示された技術的解決法では、位相回転は仮想アンテナ信号に仮想アンテナマッピング（VAM）行列を乗算した結果として獲得される信号に関して実行され、従ってアンテナによって出力される信号は様々な位相を生成する。偏波アンテナに関して、出力信号の異なる位相は、高速ダウンリンクパケットアクセス（HSDPA）の性能を変動させ、アンテナ間の電力の平衡が維持される一方で、HSDPAの性能が向上する。
2013535138.tif 000002
【特許請求の範囲】
【請求項１】
アンテナ間の電力の平衡を保つための方法であって、
ｎ個の仮想アンテナ信号に直交行列を乗算してｎ個の中間調節信号を獲得する段階と、
アンテナによって出力されるｎ個の物理アンテナ信号の内の少なくとも２個の間に位相差が存在するように、対応する回転位相を使用してｎ個の中間調節信号の内のｍ個の位相を回転させる段階とを含み、
“ｎ”は、“ｎ≧２”を満たす整数であり、
“ｍ”は、“１≦ｍ≦ｎ”を満たす整数である
ことによって特徴付けられる、方法。
【請求項２】
前記対応する回転位相を使用して前記ｎ個の中間調節信号の内の前記ｍ個の位相を回転させる前記段階が、
前記ｍ個の中間調節信号に
【数１】
2013535138.tif 000020
を乗算する段階を含み、
“θｐ”は、前記ｍ個の中間調節信号に対応する回転位相であり、“ｐ”は、前記中間調節信号の連続番号であり、“ｐ∈［１，ｍ］”である、請求項１に記載の方法。
【請求項３】
位相を調整する事前に設定された期間が満了するか、もしくは事前に設定された条件が満たされる場合に、２π期間の範囲内で“θｐ”の値を更新し、続いて前記更新された“θｐ”を使用して前記ｍ個の中間調節信号の前記位相を回転させる段階を更に含み、
“θｐ”の値を更新する前記段階が、“θｐ＝前回の位相回転の位相＋２π／ＰｈａｓｅＮｕｍ”とする段階を含み、
“ＰｈａｓｅＮｕｍ”は、事前に設定された２π期間の範囲内で前記“θｐ”の値を更新する回数である、請求項２に記載の方法。
【請求項４】
前記アンテナを通して前記ｎ個の物理アンテナ信号を出力する段階を更に含む、請求項１から請求項３のいずれか一項に記載の方法。
【請求項５】
前記アンテナを通して前記ｎ個の物理アンテナ信号を出力する前記段階の後に、前記方法が、
各回転位相におけるロッキング判定のためのチャネル品質表示（ＣＱＩ）統計値を獲得する段階と、
ロッキング判定のための獲得されたＣＱＩ統計値の中の最大のＣＱＩ統計値を検出する段階と、
ロッキング判定のための前記ＣＱＩ統計値を使用することによって前記最大のＣＱＩ統計値に対応する位相をロックするかどうかを判定する段階とを更に含む、請求項４に記載の方法。
【請求項６】
各回転位相におけるロッキング判定のための前記ＣＱＩ統計値を獲得する前記段階が、
少なくとも１つの２π期間内の同一の回転位相において報告されたＣＱＩを平均すると共に、前記同一の回転位相におけるＣＱＩ平均値を獲得する段階と、
前記同一の回転位相における前記ＣＱＩ平均値をフィルタ処理して、各回転位相におけるロッキング判定のための前記ＣＱＩ統計値を獲得する段階とを含む、請求項５に記載の方法。
【請求項７】
ロッキング判定のための前記ＣＱＩ統計値を使用することによって前記最大のＣＱＩ統計値に対応する前記位相をロックするかどうかを判定する前記段階が、
前記最大のＣＱＩ統計値に従って最適位相を検出し、前記最適値が前記最大のＣＱＩ統計値に対応する位相である段階と、
最新の２π期間内の各回転位相におけるロッキング判定のための前記ＣＱＩ統計値を平均して第１の平均値を獲得する段階と、
インデックスが［“前記最適位相のインデックス”−“２π期間内でθｐの値を更新する回数／４”，“前記最適位相のインデックス”＋“２π期間内でθｐの値を更新する回数／４”］の範囲内に入る位相におけるロッキング判定のための前記ＣＱＩ統計値を平均して第２の平均値を獲得する段階と、
位相回転に関する全ての位相に従って獲得される非ロッキング判定のための前記ＣＱＩ統計値を平均して第３の平均値を獲得する段階と、
インデックスが［“前記最適位相のインデックス”−“２π期間内でθｐの値を更新する回数／４”，“前記最適位相のインデックス”＋“２π期間内でθｐの値を更新する回数／４”］の範囲内に入る位相における非ロッキング判定のための前記ＣＱＩ統計値を平均して第４の平均値を獲得する段階と、
前記第１の平均値、前記第２の平均値、前記第３の平均値、及び前記第４の平均値に従って、前記最適位相をロックするかどうかを判定する段階とを含む、請求項６に記載の方法。
【請求項８】
前記第１の平均値、前記第２の平均値、前記第３の平均値、及び前記第４の平均値に従って、前記最適位相をロックするかどうかを判定する前記段階が、
もし前記第４の平均値と前記第３の平均値との間の差異が、非ロッキング状態判定しきい値より大きく、前記第２の平均値と前記第１の平均値との間の差異が、ロッキング状態判定しきい値より大きく、そして前記第４の平均値と前記第３の平均値との間の差異が、ロッキング状態判定しきい値より大きいならば前記最適位相をロックする段階を含む、請求項７に記載の方法。
【請求項９】
前記最適位相がロックされた後で前記ロックされた最適位相を使用することによって前記ｍ個の中間調節信号の前記位相を回転させる段階を含む、請求項７または請求項８に記載の方法。
【請求項１０】
前記ロックされた最適位相を使用することによって前記ｍ個の中間調節信号の前記位相を回転させる前記段階の後に、前記方法が、
設定された動作期間に従って、前記最適位相を使用することによって前記ｍ個の中間調節信号の前記位相を回転させることを続けるかどうかを判断する段階を含む、請求項９に記載の方法。
【請求項１１】
もし前記最適位相が前回の動作期間において既に存在するならば、現在の最適位相を中心とすることによって位相を設定する段階を更に含む、請求項１から請求項１０のいずれか一項に記載の方法。
【請求項１２】
前記現在の最適位相を中心とすることによって前記位相を設定する前記段階が、
それぞれ前記位相を左から右にスイープする各調整期間において、［“ＯｐｔｉｍｉｕｍＰｈａｓｅ−ｄ×θ１”，“ＯｐｔｉｍｉｕｍＰｈａｓｅ＋ｄ×θ１”］内で前記位相の前記値を更新する段階を含み、
“ＯｐｔｉｍｉｕｍＰｈａｓｅ”は、前回の動作期間において判定された前記最適位相であり、“２ｄ＋１”は、前記位相スイープ処理において前記位相を更新する回数であり、“θ１”は、各位相更新の大きさである、請求項１１に記載の方法。
【請求項１３】
“２ｄ＋１”個の位相のそれぞれにおけるＣＱＩ合計値を獲得する段階と、
前記ＣＱＩ合計値に従って、前記同一の位相におけるＣＱＩ平均値を獲得し、前記ＣＱＩ平均値に従ってフィルタ処理を行い、そして各位相におけるフィルタ処理されたＣＱＩ統計値を獲得する段階と、
全ての位相における前記フィルタ処理されたＣＱＩ統計値の中の最大値を判定すると共に、前記最大値に対応する位相を前記最適位相として判定する段階とを更に含む、請求項１２に記載の方法。
【請求項１４】
動作期間が満了すると同時に自動位相制御（ＡＰＣ）動作期間が満了しているかどうかを判断する段階と、
もしＡＰＣ動作期間が満了している場合、２π期間の範囲内で“θｐ”の値を更新する段階を実行するか、あるいは、
もしＡＰＣ動作期間が満了していない場合、位相を、前回の動作期間において判定された前記最適位相の左側から右側に設定する段階を実行する段階とを更に含み、
前記ＡＰＣ動作期間が、少なくとも１つのトレーニング期間、少なくとも２つの動作期間、及び前記位相を左から右にスイープする少なくとも１つの期間を含み、
前記動作期間は、制御された動作ステージの期間であり、
前記位相を左から右にスイープする期間は、“（２ｄ＋１）×前記位相を左から右にスイープする調整期間”に等しく、
前記トレーニング期間は、［０，２π］の範囲内で前記位相を旋回して、最適位相を判定してロックする期間である、請求項１１から請求項１３のいずれか一項に記載の方法。
【請求項１５】
前記アンテナを通して前記ｎ個の物理アンテナ信号を出力する前記段階の後に、前記方法が、
各回転位相における各ユーザ装置に特有のＣＱＩ統計値を獲得する段階と、
各ユーザ装置に特有の前記ＣＱＩ統計値に従って、各ユーザ装置の最大のＣＱＩ統計値を判定する段階と、
各ユーザ装置の前記最大のＣＱＩ統計値に対応する位相を前記ユーザ装置の最適位相として判定する段階とを更に含む、請求項４に記載の方法。
【請求項１６】
各ユーザ装置の前記最大のＣＱＩ統計値に対応する前記位相を前記ユーザ装置の前記最適位相として判定する前記段階の後に、前記方法が、
最新のスケジューリングアルゴリズムに従って前記ユーザ装置をスケジュールすると共に、第１のユーザ装置をスケジュールするときに、前記第１のユーザ装置の前記最適位相に従って、前記第１のユーザ装置の前記最適位相を設定する段階、あるいは、
各ユーザ装置の前記最適位相の大きさの順に前記ユーザ装置をスケジュールすると共に、前記第１のユーザ装置をスケジュールするときに、前記第１のユーザ装置の前記最適位相に従って、前記第１のユーザ装置の前記最適位相を設定する段階を更に含む、請求項１５に記載の方法。
【請求項１７】
各回転位相における各ユーザ装置に特有の前記ＣＱＩ統計値を獲得する前記段階が、
各回転位相における各ユーザ装置に特有のＣＱＩ合計値を獲得する段階と、
前記ＣＱＩ合計値に従って、各回転位相におけるＣＱＩ平均値を獲得し、前記ＣＱＩ平均値に従ってフィルタ処理を行い、そして各回転位相における各ユーザ装置に特有のフィルタ処理されたＣＱＩ統計値を獲得する段階とを含む、請求項１５または請求項１６に記載の方法。
【請求項１８】
アンテナ間の電力の平衡を保つための装置であって、
ｎ個の仮想アンテナ信号に直交行列を乗算して、ｎ個の中間調節信号を獲得するように構成される行列処理モジュールと、
アンテナによって出力されるｎ個の物理アンテナ信号の内の少なくとも２個の間に位相差が存在するように、対応する回転位相を使用してｎ個の中間調節信号の内のｍ個の位相を回転させるように構成される位相回転モジュールとを備え、
“ｎ”は、“ｎ≧２”を満たす整数であり、
“ｍ”は、“１≦ｍ≦ｎ”を満たす整数である
ことによって特徴付けられる、アンテナ間の電力の平衡を保つための装置。
【請求項１９】
前記位相回転モジュールによって前記対応する回転位相を使用して前記ｎ個の中間調節信号の内の前記ｍ個の位相を回転させることが、
前記ｍ個の中間調節信号に
【数２】
2013535138.tif 000021
を乗算することを含み、
“θｐ”は、前記ｍ個の中間調節信号に対応する回転位相であり、“ｐ”は、前記中間調節信号の連続番号であり、“ｐ∈［１，ｍ］”である、請求項１８に記載のアンテナ間の電力の平衡を保つための装置。
【請求項２０】
事前に設定された期間が満了するか、もしくは事前に設定された条件が満たされる場合に、２π期間の範囲内で“θｐ”の値を更新するように構成される位相更新モジュールを更に備え、
“θｐ”の値を更新することが、
“θｐ＝前回の位相回転の位相＋２π／ＰｈａｓｅＮｕｍ”とすることと、
前記位相回転モジュールによって、前記更新された“θｐ”を使用することにより、続いて前記ｍ個の中間調節信号の前記位相を回転させることとを含み、
“ＰｈａｓｅＮｕｍ”は、事前に設定された２π期間の範囲内で前記“θｐ”の値を更新する回数である、請求項１９に記載のアンテナ間の電力の平衡を保つための装置。
【請求項２１】
前記位相更新モジュールが、２π期間の範囲内で前記“θｐ”の値を更新する回数が“ＰｈａｓｅＮｕｍ”より少ない場合に、前記“θｐ”の値を更新し続けるように更に構成される、請求項２０に記載のアンテナ間の電力の平衡を保つための装置。
【請求項２２】
各回転位相におけるロッキング判定のためのチャネル品質表示（ＣＱＩ）統計値を獲得するように構成されるＣＱＩ統計値獲得モジュールと、
ロッキング判定のために獲得された全ての前記ＣＱＩ統計値の中の最大のＣＱＩ統計値を検出するように構成される最大ＣＱＩ統計値獲得モジュールと、
ロッキング判定のための前記ＣＱＩ統計値に従って、前記最大のＣＱＩ統計値に対応する位相をロックするかどうかを判定するように構成される最適位相判定モジュールとを更に備える、請求項１８から請求項２１のいずれか一項に記載のアンテナ間の電力の平衡を保つための装置。
【請求項２３】
前記ＣＱＩ統計値獲得モジュールが、
少なくとも１つの２π期間内の同一の回転位相において報告されたＣＱＩを平均すると共に、前記同一の回転位相におけるＣＱＩ平均値を獲得するように構成されるＣＱＩ平均サブモジュールと、
前記同一の回転位相における前記ＣＱＩ平均値をフィルタ処理して、各回転位相におけるロッキング判定のための前記ＣＱＩ統計値を獲得するように構成されるフィルタ処理サブモジュールとを備える、請求項２２に記載のアンテナ間の電力の平衡を保つための装置。
【請求項２４】
前記最適位相判定モジュールが、
前記最大のＣＱＩ統計値に従って最適位相を検出し、前記最適値が前記最大のＣＱＩ統計値に対応する位相であるように構成される最適位相獲得サブモジュールと、
最新の２π期間内の各回転位相におけるロッキング判定のための前記ＣＱＩ統計値を平均して第１の平均値を獲得するように構成される第１平均値獲得サブモジュールと、
インデックスが［“前記最適位相のインデックス”−“２π期間内でθｐの値を更新する回数／４”，“前記最適位相のインデックス”＋“２π期間内でθｐの値を更新する回数／４”］の範囲内に入る位相におけるロッキング判定のための前記ＣＱＩ統計値を平均して第２の平均値を獲得するように構成される第２平均値獲得サブモジュールと、
位相回転に関する全ての位相に従って獲得される非ロッキング判定のための前記ＣＱＩ統計値を平均して第３の平均値を獲得するように構成される第３平均値獲得サブモジュールと、
インデックスが［“前記最適位相のインデックス”−“２π期間内でθｐの値を更新する回数／４”，“前記最適位相のインデックス”＋“２π期間内でθｐの値を更新する回数／４”］の範囲内に入る位相における非ロッキング判定のための前記ＣＱＩ統計値を平均して第４の平均値を獲得するように構成される第４平均値獲得サブモジュールと、
前記第１の平均値、前記第２の平均値、前記第３の平均値、及び前記第４の平均値に従って、前記最適位相をロックするかどうかを判定するように構成される位相ロッキング判定サブモジュールとを備える、請求項２２または請求項２３に記載のアンテナ間の電力の平衡を保つための装置。
【請求項２５】
前記位相ロッキング判定サブモジュールが、特に、もし前記第４の平均値と前記第３の平均値との間の差異が、非ロッキング状態判定しきい値より大きく、前記第２の平均値と前記第１の平均値との間の差異が、ロッキング状態判定しきい値より大きく、そして前記第４の平均値と前記第３の平均値との間の差異が、ロッキング状態判定しきい値より大きいならば、前記最適位相をロックするように構成される、請求項２４に記載のアンテナ間の電力の平衡を保つための装置。
【請求項２６】
前記位相回転モジュールが、特に、前記最適位相がロックされた後で前記ロックされた最適位相を使用することによって前記ｍ個の中間調節信号の前記位相を回転させるように構成される、請求項２４または請求項２５に記載のアンテナ間の電力の平衡を保つための装置。
【請求項２７】
設定された動作期間に従って、前記ロックされた最適位相を使用することによって前記ｍ個の中間調節信号の前記位相を回転させることを続けるかどうかを判断するように構成されるロッキング継続判断モジュールを更に備える、請求項２６に記載のアンテナ間の電力の平衡を保つための装置。
【請求項２８】
各回転位相における各ユーザ装置に特有のＣＱＩ統計値を獲得するように構成される第２ＣＱＩ統計値獲得モジュールと、
前記第２ＣＱＩ統計値獲得モジュールによって獲得された前記ユーザ装置に特有の前記ＣＱＩ統計値の中の各ユーザ装置に特有の最大のＣＱＩ統計値を検出するように構成される第２最大ＣＱＩ統計値獲得モジュールと、
各ユーザ装置に特有の前記最大のＣＱＩ統計値に対応する位相を前記ユーザ装置の最適位相として使用するように構成される第２最適位相判定モジュールとを更に備える、請求項１８から請求項２１のいずれか一項に記載のアンテナ間の電力の平衡を保つための装置。
【請求項２９】
前記第２ＣＱＩ統計値獲得モジュールが、
少なくとも１つの２π期間内の同一の回転位相において各ユーザ装置によって報告されたＣＱＩを平均すると共に、前記同一の回転位相における各ユーザ装置のＣＱＩ平均値を獲得するように構成される第２ＣＱＩ平均サブモジュールと、
前記同一の回転位相における各ユーザ装置の前記ＣＱＩ平均値をフィルタ処理して、各回転位相における各ユーザ装置の前記ＣＱＩ統計値を獲得するように構成される第２フィルタ処理サブモジュールとを備える、請求項２８に記載のアンテナ間の電力の平衡を保つための装置。
【請求項３０】
最新のスケジューリングアルゴリズムに従って前記ユーザ装置をスケジュールすると共に、第１のユーザ装置をスケジュールするときに、前記第２最適位相判定モジュールによって判定された前記第１のユーザ装置の前記最適位相に従って、前記第１のユーザ装置の前記最適位相を設定するか、あるいは、
各ユーザ装置の前記最適位相の大きさの順に前記ユーザ装置をスケジュールすると共に、前記第１のユーザ装置をスケジュールするときに、前記第２最適位相判定モジュールによって判定された前記第１のユーザ装置の前記最適位相に従って、前記第１のユーザ装置の前記最適位相を設定するように構成される第２スケジューリングモジュールを更に備える、請求項２８または請求項２９に記載のアンテナ間の電力の平衡を保つための装置。
【請求項３１】
前回の動作期間において判定された前記最適位相を中心とすることによって、位相を、前記前回の動作期間において判定された前記最適位相の左側から右側に設定するように構成される第２位相更新モジュールを更に備え、
前記位相回転モジュールが、前記第２位相更新モジュールによって設定された前記位相に従って、位相回転を実行するように更に構成される、請求項１８から請求項２７のいずれか一項に記載のアンテナ間の電力の平衡を保つための装置。
【請求項３２】
前記第２位相更新モジュールが、特に、それぞれ前記位相を左から右にスイープする各調整期間において、［“ＯｐｔｉｍｉｕｍＰｈａｓｅ−ｄ×θ１”，“ＯｐｔｉｍｉｕｍＰｈａｓｅ＋ｄ×θ１”］内で前記位相の前記値を更新するように構成され、
“ＯｐｔｉｍｉｕｍＰｈａｓｅ”は、前回の動作期間において判定された前記最適位相であり、“２ｄ＋１”は、前記位相スイープ処理において前記位相を更新する回数であり、“θ１”は、各位相更新の大きさである、請求項３１に記載のアンテナ間の電力の平衡を保つための装置。
【請求項３３】
“２ｄ＋１”個の位相のそれぞれにおけるＣＱＩ合計値を獲得するように構成される合計モジュールと、
前記合計モジュールによって獲得された前記ＣＱＩ合計値に従って、前記同一の位相におけるＣＱＩ平均値を獲得し、前記ＣＱＩ平均値に従ってフィルタ処理を行い、そして各位相におけるフィルタ処理されたＣＱＩ統計値を獲得するように構成されるフィルタ処理モジュールと、
全ての位相における前記フィルタ処理されたＣＱＩ統計値の中の最大値を判定すると共に、前記最大値に対応する位相を前記最適位相として判定するように構成される最適位相検出モジュールとを更に備える、請求項３２に記載のアンテナ間の電力の平衡を保つための装置。
【請求項３４】
前記位相を更新する回数が“２ｄ＋１”回に到達しているかどうかを判断するように構成される旋回判断モジュールを更に備え、
もし前記位相を更新する回数が“２ｄ＋１”回に到達していないならば、前記第２位相更新モジュールが、前記位相を設定することを続ける、請求項３２または請求項３３に記載のアンテナ間の電力の平衡を保つための装置。
【請求項３５】
動作期間が満了すると同時に自動位相制御（ＡＰＣ）動作期間が満了しているかどうかを判断し、もしＡＰＣ動作期間が満了していない場合、前記第２位相更新モジュールを起動し、もしＡＰＣ動作期間が満了している場合、前記位相更新モジュールを起動するように構成される自動位相制御（ＡＰＣ）動作期間判断モジュールを更に備え、
前記ＡＰＣ動作期間が、少なくとも１つのトレーニング期間、少なくとも２つの動作期間、及び前記位相を左から右にスイープする少なくとも１つの期間を含み、
前記動作期間は、制御された動作ステージの期間であり、
前記位相を左から右にスイープする期間は、“（２ｄ＋１）×前記位相を左から右にスイープする調整期間”に等しく、
前記トレーニング期間は、［０，２π］の範囲内で前記位相を旋回して、最適位相を判定してロックする期間である、請求項３１から請求項３４のいずれか一項に記載のアンテナ間の電力の平衡を保つための装置。
【請求項３６】
請求項１８から請求項３５のいずれか一項に記載のアンテナ間の電力の平衡を保つための装置を備えることによって特徴付けられる、基地局。
【請求項３７】
ｎ個の物理アンテナ信号を出力するように構成されるアンテナを更に備える、請求項３６に記載の基地局。
【発明の詳細な説明】
【技術分野】
【０００１】
本発明は、無線通信技術の分野に関係すると共に、特に、アンテナ間の電力の平衡を保つための方法及び装置、そして基地局に関係する。
【背景技術】
【０００２】
本願は、参照によってそれらの全体がここに組み込まれる、“METHOD AND APPARATUS FOR BALANCING POWER BETWEEN ANTENNAS, AND BASE STATION”と題名が付けられて２０１０年６月１８日に中国特許庁に出願された中国特許出願番号第201010207844.5号、及び“METHOD AND APPARATUS FOR BALANCING POWER BETWEEN ANTENNAS, AND BASE STATION”と題名が付けられて２０１１年６月１６日に中国特許庁に出願された中国特許出願番号第201110161960.2号に対する優先権を主張する。
【０００３】
広帯域符号分割多元接続（ＷＣＤＭＡ）は、ネットワークインタフェースＲ７プロトコルを公開すると共に、複数入力複数出力（ＭＩＭＯ）技術を導入する。ＭＩＭＯ技術は、高速ダウンリンクパケット接続（ＨＳＤＰＡ）の強化されたバージョンであり、そして、ピークスループット（peak throughput）を増加させるように設計されている。ＨＳＤＰＡからＭＩＭＯまでの発展において、一般的に、同じ搬送波がＭＩＭＯ及びＨＳＤＰＡによって共有される。
【０００４】
ＭＩＭＯ及びＨＳＤＰＡが搬送波を共有する場合に、図１において示されたように、送信ダイバシティモードにおけるＨＳＤＰＡの性能の劣化を回避するために、プライマリパイロットモード／セカンダリパイロットモードが適用できる。図１は、プライマリパイロットモード／セカンダリパイロットモードにおけるＭＩＭＯ及びＨＳＤＰＡの概略のネットワーク図である。図１において、ＭＩＭＯ、プライマリ共通パイロットチャネル（Ｐ−ＣＰＩＣＨ）、ＨＳＤＰＡ、及びＲ９９は、単一の伝送方法を使用する。２つの電力増幅器（ＰＡ）が提供するＭＩＭＯ信号及びＨＳＤＰＡ信号は、１つの搬送波ｆ１上で伝送されるが、しかし、Ｒ９９信号は、別の搬送波ｆ２上で伝送されると共に、更に、ＰＡ１は、２つの周波数ｆ１及びｆ２を有するが、しかし、ＰＡ２は、１つの周波数ｆ１しか有しておらず、これは、ＰＡ１とＰＡ２との間の電力の不均衡につながる。
【０００５】
従来技術では、ＭＩＭＯが従来のＨＳＤＰＡと共存する場合、アンテナ間の電力の平衡を保つために、１つのアンテナから出力される信号は、直交仮想アンテナマッピング（orthogonal virtual antenna mapping：ＶＡＭ）行列を乗算される。この方法では、電力は２つのＰＡの間で平衡が保たれる。
【発明の概要】
【発明が解決しようとする課題】
【０００６】
しかしながら、全ての出力信号にＶＡＭ行列が乗算されて出力されても、ＨＳＤＰＡの性能は、変動しないと共に、高められることができない。
【課題を解決するための手段】
【０００７】
本発明の実施例は、アンテナ間の電力の平衡を保つための方法及び装置、そして基地局を提供すると共に、従って、アンテナによって出力される信号は、ＨＳＤＰＡの性能を変動させる異なる（different：様々な）位相を生成する。
【０００８】
本発明は、下記の技術的解決法に基づいて実行される。
【０００９】
アンテナ間の電力の平衡を保つための方法であって、ｎ個の仮想アンテナ信号に直交行列を乗算して、ｎ個の中間調節信号を獲得する段階と、アンテナによって出力されるｎ個の物理アンテナ信号の内の少なくとも２個の間に位相差が存在するように、対応する回転位相を使用してｎ個の中間調節信号の内のｍ個の位相を回転させる段階とを含み、“ｎ”は、“ｎ≧２”を満たす整数であり、“ｍ”は、“１≦ｍ≦ｎ”を満たす整数である。
【００１０】
アンテナ間の電力の平衡を保つための装置であって、ｎ個の仮想アンテナ信号に直交行列を乗算して、ｎ個の中間調節信号を獲得するように構成される行列処理モジュールと、アンテナによって出力されるｎ個の物理アンテナ信号の内の少なくとも２個の間に位相差が存在するように、対応する回転位相を使用してｎ個の中間調節信号の内のｍ個の位相を回転させるように構成される位相回転モジュールとを備え、“ｎ”は、“ｎ≧２”を満たす整数であり、“ｍ”は、“１≦ｍ≦ｎ”を満たす整数である。
【００１１】
アンテナ間の電力の平衡を保つための前述の装置を備える基地局が更に提供される。
【００１２】
本発明の技術的解決法において、位相回転は、仮想アンテナ信号にＶＡＭ行列を乗算した結果として獲得される信号に関して実行されると共に、従って、アンテナによって出力される信号は、ＨＳＤＰＡの性能を変動させる様々な位相を生成する。
【図面の簡単な説明】
【００１３】
【図１】プライマリパイロットモード／セカンダリパイロットモードにおけるＭＩＭＯ及びＨＳＤＰＡの概略のネットワーク図である。
【図２】本発明の実施例によるアンテナ間の電力の平衡を保つための方法のフローチャートである。
【図３】本発明の実施例によるアンテナ間の電力の平衡を保つための方法において、ＭＩＭＯ及びＨＳＤＰＡがプライマリパイロットモード／セカンダリパイロットモードにおけるネットワーク構築（networking）の間に搬送波を共有する場合に適用されるＶＡＭ行列の概略図である。
【図４】本発明の実施例によるアンテナ間の電力の平衡を保つための方法における位相回転の概略図である。
【図５】本発明の別の実施例によるアンテナ間の電力の平衡を保つための方法のフローチャートである。
【図６】本発明の別の実施例によるアンテナ間の電力の平衡を保つための方法のフローチャートである。
【図７】本発明の別の実施例によるアンテナ間の電力の平衡を保つための方法において位相を左から右にスイープ（sweep：掃引）することの概略図である。
【図８】本発明の別の実施例によるアンテナ間の電力の平衡を保つための方法のフローチャートである。
【図９】本発明の実施例によるアンテナ間の電力の平衡を保つための装置の概略の構成図である。
【図１０】本発明の実施例による基地局の概略の構成図である。
【発明を実施するための形態】
【００１４】
本発明の目的、技術的解決法、及び利点を更に明瞭にするために、下記では、添付図面を参照して、更に詳細に本発明の実施例を説明する。
【００１５】
図２は、本発明の実施例によるアンテナ間の電力の平衡を保つための方法のフローチャートである。図２において示されたように、方法は、下記のステップを含み得る。
【００１６】
ステップ２１：ｎ個の仮想アンテナ信号に直交行列を乗算して、ｎ個の中間調節信号を獲得すると共に、ここで、ｎは、“ｎ≧２”を満たす整数である。
【００１７】
図３において示されたように、ＭＩＭＯ及びＨＳＤＰＡがプライマリパイロットモード／セカンダリパイロットモードにおけるネットワーク構築（networking）の間に搬送波を共有する場合に、ＶＡＭ行列が適用される（ＶＡＭ行列は直交行列の一例であると共に、本実施例ではＶＡＭ行列を一例として用いる）。図３において、ｖ１及びｖ２は、ＶＡＭ入力信号であると共に、仮想アンテナ信号と呼ばれる。
【数１】
2013535138.tif 000003
であると共に、ｓ１及びｓ２は、ＰＡ出力信号であり、物理アンテナ信号と呼ばれる。ｖ１及びｖ２は、電力が２つの物理アンテナに等しく分割され、すなわち、従って電力がＰＡ１とＰＡ２との間で平衡を保たれるように、ＶＡＭ行列を乗算される。ＶＡＭ行列は、無線通信路の一部と見なされ得ると共に、受信機には見えない。従って、ユーザ装置（ＵＥ）の受信処理は、変更を必要としない。
【００１８】
ＶＡＭ行列は、様々な形式で表され得ると共に、
【数２】
2013535138.tif 000004
は、この実施例におけるＶＡＭ行列の表現の一例として用いられる点に注意が必要である。更に、前述の説明では、２つのアンテナが存在すると仮定されている。当然のことながら、この解決方法は、同様に、複数アンテナのシナリオ（multi-antenna scenario）に適用できる。
【００１９】
ステップ２２：アンテナによって出力されるｎ個の物理アンテナ信号の内の少なくとも２個の間に位相差が存在するように、対応する回転位相を使用してｎ個の中間調節信号の内のｍ個の位相を回転させると共に、ここで、ｍは、“１≦ｍ≦ｎ”を満たす整数である。
【００２０】
言い換えると、この実施例は、アンテナによって出力される物理アンテナ信号の間に位相差が存在する限り、全ての中間調節信号の位相を回転させ得るか、または、対応する回転位相により１つ以上の中間調節信号の位相を回転させ得る。ここでアンテナによって出力される物理アンテナ信号の間に存在する位相差は、少なくとも２つの物理アンテナ信号の間に存在する位相差であり得る。
【００２１】
アンテナによって出力される物理アンテナ信号の間に位相差が存在するので、出力信号の様々な位相は、ＨＳＤＰＡの性能を変動させると共に、アンテナ間の電力の平衡が維持される一方で、ＨＳＤＰＡの性能が向上する。
【００２２】
上記ステップ２２では、中間調節信号の位相回転方法は図４において示され、すなわち、ｍ個の中間調節信号は、
【数３】
2013535138.tif 000005
を乗算され、ここで、“θｐ”は、ｍ個の中間調節信号に対応する回転位相である。
【００２３】
“ｍ＞１”の場合に、異なる中間調節信号は、異なる回転位相によって回転され得る。この場合、ｍ個の中間調節信号は、
【数４】
2013535138.tif 000006
を乗算され、ここで、“θｐ”は、ｍ個の中間調節信号に対応する回転位相であり、ｐは、中間調節信号の連続番号であり、“ｐ∈［１，ｍ］”である。例えば、１番目の中間調節信号は回転位相“θ１”に対応し、２番目の中間調節信号は回転位相“θ２”に対応し、そしてｍ番目の中間調節信号は回転位相“θｍ”に対応する。
【００２４】
“ｎ＞ｍ＞１”である場合に、異なる中間調節信号の全部または一部が同じ回転位相によって回転され得ることに注意が必要である。
【００２５】
更に、更に良い性能を達成するために、位相回転のために使用される位相は、２π範囲の範囲内で更新された状態を保持し得る。特に、この実施例におけるアンテナ間の電力の平衡を保つための方法は、更に、２π期間の範囲内で“θｐ”の値を更新し、続いて更新された“θｐ”を使用してｍ個の中間調節信号の位相を回転させる段階を更に含む。
【００２６】
“θｐ”の値を更新する方法は、“θｐ＝前回の位相回転の位相＋２π／ＰｈａｓｅＮｕｍ”であり得ると共に、ここで、“ＰｈａｓｅＮｕｍ”は、事前に設定された２π期間の範囲内で“θｐ”の値を更新する回数である。詳細に関しては、図５に示される実施例を参照すること。
【００２７】
更に、２π期間の範囲内で前記“θｐ”の値を更新する回数が“ＰｈａｓｅＮｕｍ”より少ない場合に、“θｐ”の値を更新し続けることは、適切である。
【００２８】
更に、この実施例における方法は、更に下記のステップを含み得る。
【００２９】
ステップ２３：アンテナを通してｎ個の物理アンテナ信号を出力する。
【００３０】
“ｍ＜ｎ”の場合に、物理アンテナ信号は、位相が回転されない中間調節信号を含む。
【００３１】
この実施例におけるアンテナ間の電力の平衡を保つための方法は、位相回転によって生成されるチャネル品質表示（ＣＱＩ）を収集すると共に、位相回転を実行するための最適位相を選択してロックする段階を更に含み得る。この動作は、下記のステップを含み得る。
【００３２】
ステップ１：ユーザ装置（ＵＥ）によって報告された各回転位相におけるロッキング判定（locking determination）のためのチャネル品質表示（ＣＱＩ）統計値を獲得する。例えば、少なくとも１つの２π期間内の同一の回転位相において報告されたＣＱＩを平均し、同一の回転位相におけるＣＱＩ平均値を獲得すると共に、同一の回転位相におけるＣＱＩ平均値をフィルタ処理して、様々な回転位相におけるロッキング判定のためのＣＱＩ統計値を獲得する。
【００３３】
ステップ２：獲得されたロッキング判定のためのＣＱＩ統計値の中の最大のＣＱＩ統計値を検出する。例えば、最新の２π期間内の位相回転に関する全ての位相に従って獲得されるロッキング判定のためのＣＱＩ統計値の中の最大のＣＱＩ統計値を検出する。
【００３４】
ステップ３：ロッキング判定のためのＣＱＩ統計値を使用することによって、最大のＣＱＩ統計値に対応する位相をロックするかどうかを判定する。例えば、最大のＣＱＩ統計値に従って最適位相を検出し、ここで、最適位相が最大のＣＱＩ統計値に対応する位相であり、最新の２π期間の範囲内の様々な回転位相におけるロッキング判定のためのＣＱＩ統計値を平均して第１の平均値を獲得し、インデックスが［“最適位相のインデックス”−“２π期間内でθｐの値を更新する回数／４”，“最適位相のインデックス”＋“２π期間内でθｐの値を更新する回数／４”］の範囲内に入る位相におけるロッキング判定のためのＣＱＩ統計値を平均して第２の平均値を獲得し、位相回転に関する全ての位相に従って獲得される非ロッキング判定（non-locking determination）のためのＣＱＩ統計値を平均して第３の平均値を獲得し、インデックスが［“最適位相のインデックス”−“２π期間内でθｐの値を更新する回数／４”，“最適位相のインデックス”＋“２π期間内でθｐの値を更新する回数／４”］の範囲内に入る位相における非ロッキング判定のためのＣＱＩ統計値を平均して第４の平均値を獲得し、第１の平均値、第２の平均値、第３の平均値、及び第４の平均値に従って、最適位相をロックするかどうかを判定する。特に、もし第４の平均値と第３の平均値との間の差異が、非ロッキング状態判定しきい値より大きく、第２の平均値と第１の平均値との間の差異が、ロッキング状態判定しきい値より大きく、そして第４の平均値と第３の平均値との間の差異が、ロッキング状態判定しきい値より大きいならば、最適位相をロックする。
【００３５】
最適位相がロックされる場合に、更にＨＳＤＰＡの性能を高めるために、ロックされた最適位相が、次の処理において継続的にｍ個の中間調節信号の位相を回転させるために使用され得る。詳細に関しては、図６に示される実施例を参照すること。
【００３６】
上記で開示された技術的解決法において、位相回転が、仮想アンテナ信号に直交行列を乗算する結果として獲得された信号に関して実行されると共に、従って、アンテナによって出力される信号は、異なる（different：様々な）位相を生成する。偏波アンテナに関して、出力信号の異なる（different：様々な）位相は、ＨＳＤＰＡの性能を変動させると共に、アンテナ間の電力の平衡が維持される一方で、ＨＳＤＰＡの性能が向上する。
【００３７】
図５は、本発明の別の実施例によるアンテナ間の電力の平衡を保つための方法のフローチャートである。この実施例では、２つのアンテナが存在すると共に、仮想アンテナ信号に直交行列を乗算することによって獲得された１つの信号だけが位相を回転されると仮定されている。図５において示されたように、その方法は、下記のステップを含み得る。
【００３８】
ステップ５１：位相“θ”によって、仮想アンテナ信号がＶＡＭ行列を乗算された後に獲得された中間調節信号を回転させる。
【００３９】
例えば、図４において示された出力信号に関して、仮想アンテナ信号ｖ１及びｖ２がＶＡＭ行列
【数５】
2013535138.tif 000007
を乗算された後に獲得された中間調節信号
【数６】
2013535138.tif 000008
の内の
【数７】
2013535138.tif 000009
は、物理アンテナ信号ｓ２を獲得するために、位相“θ”によって回転させられる。すなわち、ｓ２は下記のようである。
【数８】
2013535138.tif 000010
物理アンテナ信号ｓ１は、
【数９】
2013535138.tif 000011
であり、すなわち、物理アンテナ信号は、中間調節信号に相当する。このように、位相差が物理アンテナ信号ｓ１と物理アンテナ信号ｓ２との間に存在すると共に、ＨＳＤＰＡの性能が向上し得る。
【００４０】
位相回転が、
【数１０】
2013535138.tif 000012
に関して実行され得るか、または、位相回転が、（異なる回転位相によって）
【数１１】
2013535138.tif 000013
の両方に関して実行され得ると共に、この実施例はそれに限定されない、ということに注意が必要である。
【００４１】
ステップ５２：アンテナを通して物理アンテナ信号を出力する。
【００４２】
更に、図４を一例として用いると、アンテナＡｎｔ１は、物理アンテナ信号ｓ１を出力すると共に、アンテナＡｎｔ２は、物理アンテナ信号ｓ２を出力する。位相差が、物理アンテナ信号ｓ１と物理アンテナ信号ｓ２との間に存在する。従って、例えば比例公平スケジューリングアルゴリズム（Proportional-Fair (PF) scheduling algorithm）のような、対応するスケジューリングアルゴリズムを通して、高性能のＵＥがスケジュールされると共に、ＵＥのダイバシティ利得が利用され、それはセルのスループットを向上させ得る。更に、対応するスケジューリングアルゴリズムは、ＨＳＤＰＡの性能を高めることができる。
【００４３】
ステップ５３：２π期間内で位相“θ”の値を更新すると共に、続いて更新された“θ”を使用して中間調節信号の内の少なくとも１つの位相を回転させる。
【００４４】
位相θを更新する方法は、“θ＝θ＋２π／ＰｈａｓｅＮｕｍ”であり得ると共に、ここで、“ＰｈａｓｅＮｕｍ”は、期間内で回転された位相の数であり、そして任意の自然数であり得る。位相調整処理は、更に、位相の周期的回転として知られている。
【００４５】
位相“θ”が調整された後で、物理アンテナ信号の間の位相差が０から２πに旋回するまで、ステップ５１からステップ５３が実行される。全ての回転された位相において、高いＣＱＩのＵＥ（ユーザ装置）が、最初からずっとスケジュールされ得る。すなわち、ＵＥのダイバシティ利得が、セルのスループットを向上させると共に、ＨＳＤＰＡの性能を高めるために利用される。
【００４６】
２π期間内の“θ”の更新が完了された後で（すなわち“θ”を更新する回数が“ＰｈａｓｅＮｕｍ”に到達した後で）、“θ”の初期値は、“θ”の次の更新期間における任意の値になり得る。
【００４７】
図６は、本発明の別の実施例によるアンテナ間の電力の平衡を保つための方法のフローチャートである。図６において示されたように、その方法は、トレーニングステージ及び動作ステージを含み得る。トレーニングステージにおいて、位相は、２π期間に従って回転されると共に、統計値が、ＵＥの受信品質に関して生成される。最適な位相がロックされるまで、トレーニングステージは、１つ以上の２π期間を含み得る。一度最適な位相がロックされれば、トレーニングステージは完了されると共に、動作ステージが始まる。ここで、２π期間は、トレーニング期間と呼ばれる。図５において示された実施例における位相の周期的な回転に基づいて、トレーニングステージは、最適な位相を検出すると共にロッキング状態を決定する、追加のステップを含む。動作ステージにおいて、最適な位相が設定され、設定された動作期間が適用されると共に、動作期間が満了するとき、トレーニングステージが始まる。トレーニングステージ及び動作ステージは、期間によって実行され得ると共に、その期間は、実際の必要性に従って設定され得る。最適な位相がＨＳＤＰＡの性能の改善をもたらさないとき、動作ステージは、同様に、基地局によって終了され得ると共に、トレーニングステージが始まる。
【００４８】
説明を容易にするために、トレーニングステージ及び動作ステージに関連しているパラメータ及び変数が最初に説明される。特に、トレーニングステージにおけるアルゴリズムパラメータが、テーブル１において示され得る。
【００４９】
【表１】
2013535138.tif 000014
【００５０】
トレーニングステージにおけるアルゴリズム変数が、テーブル２において示され得る。
【００５１】
【表２】
2013535138.tif 000015
【００５２】
動作ステージにおけるアルゴリズム変数が、テーブル３において示され得る。
【００５３】
【表３】
2013535138.tif 000016
【００５４】
トレーニングステージは、下記のステップを含み得る。
【００５５】
ステップ６１：位相を調整する。
【００５６】
その位相は、“ＰｒｏＰｒｄ”期間の間隔で調整されると共に、調整された位相は、仮想アンテナ信号に直交行列を乗算する（掛ける）ことによって獲得された信号に関して位相回転を実行するために使用される。トレーニング期間では、“ＰｒｄＣｎｔ”は、“ＰｒｏＰｒｄ”の境界において変わり、“ＰｒｄＣｎｔ＋＋”、すなわち“ＰｒｄＣｎｔ”の値に１を加える。すなわち“ＰｒｄＣｎｔ”の異なる値は、異なる位相をもたらす。従って、“ＰｒｄＣｎｔ＞ＴｒａｉｎＰｒｄ”を回避する目的で、“ＰｒｄＣｎｔ＝（ＰｒｄＣｎｔ＋１）  ｍｏｄ  ＴｒａｉｎＰｒｄ”とする。
【００５７】
“ＰｒｏＰｒｄ”の境界で、“ｅｊθ”の値が設定され、ここで“θ＝（２π／ＴｒａｉｎＰｒｄ）×ＰｒｄＣｎｔ”である。“２π／ＴｒａｉｎＰｒｄ”は、２πを等しく“ＴｒａｉｎＰｒｄ”個の位相に分割することを指している。“ＴｒａｉｎＰｒｄ”が“ＭＡＸ＿ＰＨＡＳＥ＿ＮＵＭ”に等しい場合に、“２π／ＴｒａｉｎＰｒｄ＝２π／ＰｈａｓｅＮｕｍ”になる。最新のθは、“θ＝θ（前回）＋２π／ＰｈａｓｅＮｕｍ”を通して計算され得る。もし“２π／ＴｒａｉｎＰｒｄ＝２π／ＰｈａｓｅＮｕｍ＝π／３”ならば、２πにおいて、“ＰｒｄＣｎｔ”は、６つの値（１、２、３、４、５、及び６）を有し、それは、それぞれ位相π／３、２π／３、π、４π／３、５π／３、及び２πに対応する。もし最新の位相が第４の位相であるならば、それは、“（２π／ＴｒａｉｎＰｒｄ）×ＰｒｄＣｎｔ＝（π／３）×４＝４π／３”、または、“θ＝θ（前回）＋２π／ＰｈａｓｅＮｕｍ＝π＋π／３＝４π／３”のように計算され得る。
【００５８】
設定された“ｅｊθ”の位相調整の後で、対応する位相差が、アンテナによって出力される信号の間に存在する。
【００５９】
前述の位相設定処理は、概念的に、図２において示された実施例と同じであると共に、ここでの回転位相の更新は“ＰｒｏＰｒｄ”期間の間隔で発生することに、注意が必要である。
【００６０】
ステップ６２：異なる位相の性能に関して統計値を生成する。
【００６１】
異なる位相において、性能統計値が、ＵＥによって報告されたＣＱＩに従って生成され得る。ＣＱＩは、ＵＥによって、基地局のアンテナによって出力される信号に従って報告されたＣＱＩであり得る。すなわち、基地局によって送信された信号を受信した後で、ＵＥは、受信された信号に従ってＣＱＩを獲得し得る。
【００６２】
性能統計値は、下記にように生成され得る。
【００６３】
ＵＥによって報告されたＣＱＩが受信された後で、もしＵＥがデータ伝送状態にあるならば、データ伝送状態にあるＵＥによって報告されたＣＱＩを合計するように、フラグが設定される。データ伝送状態にないＵＥが同様にＣＱＩを報告し得るが、しかし、このＣＱＩは合計される必要がないので、そのフラグは、ＵＥによって報告されたどのＣＱＩが合計される必要があるかを伝える。例えば、フラグが“１”であるＣＱＩのみを合計することができるように、データ伝送状態にあるＵＥによって報告されたＣＱＩのフラグは“１”に設定され、データ伝送状態にないＵＥによって報告されたＣＱＩのフラグは“０”に設定される。ＣＱＩは、下記の方法において合計され得る：
“ＣｑｉＳｕｍ［ＰｒｄＣｎｔ］＋＝報告されたＣＱＩ”；
“ＣｑｉＣｎｔ［ＰｒｄＣｎｔ］＋＋”。
【００６４】
例えば、ステップ６１において、もし“θ＝π／３”ならば、ＣＱＩは、各前回の“ＴｒａｉｎＰｒｄ”における“θ＝π／３”の性能が達成されるまで累積され得る。すなわち、毎回“θ＝π／３”の位相調整の後で出力される信号に従って、ＵＥによって報告されるＣＱＩが累積される。もし“θ＝π／３”の場合に“ＰｒｄＣｎｔ”が“１”であるならば、各２π期間において“ＰｒｄＣｎｔ”が“１”であるときに受信されたＣＱＩが累積されると共に、現在の時刻まで、“θ＝π／３”の場合に受信されたＣＱＩの数が合計される。
【００６５】
ステップ６３：異なる位相の性能をフィルタ処理する。
【００６６】
同一の位相におけるＣＱＩ平均値、すなわち“ＣｑｉＭｅａｎ［ｉ］”が、計算され得る。
【００６７】
例えば、“ｉ＝０：ＴｒａｉｎＰｒｄ−１”において、“ＣｑｉＭｅａｎ［ｉ］＝ＣｑｉＳｕｍ［ｉ］／ＣｑｉＣｎｔ［ｉ］”である。
【００６８】
ここで、“ｉ＝０”はインデックスが“０”であることを意味し、“ｉ＝ＴｒａｉｎＰｒｄ−１”はインデックスが“ＴｒａｉｎＰｒｄ−１”であることを意味する。もし、最新の位相が“π／３”であるならば、最初の“ＴｒａｉｎＰｒｄ”の“π／３”においてＵＥによって報告されたＣＱＩ、２番目の“ＴｒａｉｎＰｒｄ”の“π／３”においてＵＥによって報告されたＣＱＩ、・・・及び最新の“ＴｒａｉｎＰｒｄ”の“π／３”においてＵＥによって報告されたＣＱＩを累積すると共に、そして、“π／３”の位相のＣＱＩ平均値を生成するために、ＣＱＩの数で累積された値を割る必要がある。
【００６９】
アルファ（alpha）フィルタ処理が、異なるトレーニング期間の同一の位相に関して獲得されたロッキング判定のためのＣＱＩ統計値に対して実行される：
“ＳｔｓＣｑｉＬｏｃｋ［ＰｒｄＣｎｔ］＝ＳｔｓＣｑｉＬｏｃｋ［ＰｒｄＣｎｔ］×（１−ａｌｐｈａｌｏｃｋ）＋ＣｑｉＭｅａｎ［ｉ］×ａｌｐｈａｌｏｃｋ”。
【００７０】
更に、“π／３”が一例として用いられると共に、“ＣｑｉＭｅａｎ［ｉ］”は、“π／３”のＣＱＩ平均値である。最新の“ＴｒａｉｎＰｒｄ”の“π／３”におけるロッキング判定のためのＣＱＩ統計値は、前回の“ＴｒａｉｎＰｒｄ”の“π／３”におけるロッキング判定のためのＣＱＩ統計値、及び位相“π／３”のＣＱＩ平均値のアルファフィルタ処理値に等しい。
【００７１】
アルファ（alpha）フィルタ処理が、異なるトレーニング期間における非ロッキング（non-locking）判定のためのＣＱＩ統計値に対して実行される：
“ＳｔｓＣｑｉＵｎｌｏｃｋ［ＰｒｄＣｎｔ］＝ＳｔｓＣｑｉＵｎｌｏｃｋ［ＰｒｄＣｎｔ］×（１−ａｌｐｈａｕｎｌｏｃｋ）＋ＣｑｉＭｅａｎ［ｉ］×ａｌｐｈａｕｎｌｏｃｋ”。
【００７２】
更に、“π／３”が一例として用いられると共に、“ＣｑｉＭｅａｎ［ｉ］”は、“π／３”のＣＱＩ平均値である。最新の“ＴｒａｉｎＰｒｄ”の“π／３”における非ロッキング判定のためのＣＱＩ統計値は、前回の“ＴｒａｉｎＰｒｄ”の“π／３”における非ロッキング判定のためのＣＱＩ統計値、及び位相“π／３”のＣＱＩ平均値のアルファフィルタ処理値に等しい。
【００７３】
前述の例は、ＣＱＩ統計値をフィルタ処理するために、アルファ（alpha）フィルタ処理方法を使用する。当然のことながら、他のフィルタ処理方法が、同様に適用できると共に、フィルタ処理方法は、これに限定されない。
【００７４】
ステップ６４：全ての位相が旋回されているかどうかを判断する。
【００７５】
全ての位相が旋回されているかどうかを判断することは、トレーニング期間が完了されているかどうかを判断することによって実施され得る。もし全ての位相が旋回されているならば、その手順はステップ６５に進行し、もし全ての位相が旋回されていないならば、その手順はステップ６１に戻り、次の位相が出力信号の間の位相差を調整するために使用される。
【００７６】
ステップ６５：最適な位相を捜す。
【００７７】
“ＳｔｓＣｑｉＬｏｃｋ［０，・・・，ＴｒａｉｎＰｒｄ−１］”における最大値を検出する。最大値に対応する位相（すなわち最適な位相）のインデックスは、“ｘ”であると見なされ、すなわち“ＯｐｔｉｍｕｍＰｈａｓｅＩｄｘ＝ｘ”である。
【００７８】
ステップ６６：位相のロッキング状態を判定する。
【００７９】
位相のロッキング状態は、下記の方法で判定され得る。
【００８０】
ステップ６３で計算されるロッキング判定のためのＣＱＩ統計値及び非ロッキング判定のためのＣＱＩ統計値に従って、下記の４つの平均値が獲得される。
【００８１】
全ての位相におけるロッキング判定のためのＣＱＩ平均値：“ＴｅｍｐＭｅａｎ１＝ｍｅａｎ（ＳｔｓＣｑｉＬｏｃｋ［０，・・・，ＴｒａｉｎＰｒｄ−１］）”、すなわち上記第１の平均値。
【００８２】
最適な位相及び最適な位相に近い位相におけるロッキング判定のためのＣＱＩ平均値：“ＴｅｍｐＭｅａｎ２＝ｍｅａｎ（ＳｔｓＣｑｉＬｏｃｋ［ｘ−ＴｒａｉｎＰｒｄ／４，・・・，ＴｒａｉｎＰｒｄ／４］）”、すなわち上記第２の平均値。
【００８３】
全ての位相における非ロッキング判定のためのＣＱＩ平均値：“ＴｅｍｐＭｅａｎ３＝ｍｅａｎ（ＳｔｓＣｑｉＵｎｌｏｃｋ［０，・・・，ＴｒａｉｎＰｒｄ−１］）”、すなわち上記第３の平均値。
【００８４】
最適な位相及び最適な位相に近い位相における非ロッキング判定のためのＣＱＩ平均値：“ＴｅｍｐＭｅａｎ４＝ｍｅａｎ（ＳｔｓＣｑｉＵｎｌｏｃｋ［ｘ−ＴｒａｉｎＰｒｄ／４，・・・，ｘ＋ＴｒａｉｎＰｒｄ／４］）”、すなわち上記第４の平均値。
【００８５】
もし“ＴｅｍｐＭｅａｎ４−ＴｅｍｐＭｅａｎ３＜ＵｎｌｏｃｋＴｈｒｅｓｈｏｌｄ”であるならば、ステップ６５において検出された最適な位相は非ロッキング状態にあり、“ＷｏｒｋＬｏｃｋＦｌｇ＝０”であると共に、その手順はステップ６１に戻り、そうでなければ、もし“（ＴｅｍｐＭｅａｎ２−ＴｅｍｐＭｅａｎ１＞ＬｏｃｋＴｈｒｅｓｈｏｌｄ）＆＆（ＴｅｍｐＭｅａｎ４−ＴｅｍｐＭｅａｎ３＞ＬｏｃｋＴｈｒｅｓｈｏｌｄ）”であるならば、ステップ６５において検出された最適な位相はロッキング状態にあり、“ＷｏｒｋＬｏｃｋＦｌｇ＝１”であると共に、その手順はステップ６７に進行し、動作ステージが始まる。
【００８６】
ステップ６７：動作ステージに入るとき、計数するためのカウンタを開始し、ロックされた位相を使用することによって、物理アンテナ信号を調整し続け、すなわち位相を回転し続ける。
【００８７】
ステップ６８：動作期間が現在存続しているかどうかを判断するために、カウンタのカウント値を設定された動作期間の値と比較する。もし動作期間が現在存続しているならば（例えば、もしカウント値が動作期間の値より小さいならば）、ステップ６７を実行し続け、そして、もし動作期間が現在存続していないならば、動作ステージを終了し、ステップ６１に戻り、そしてトレーニングステージに入る。
【００８８】
性能統計値、及び前述のトレーニングステージにおける最適な位相の判定は、各ＵＥに特有ではないが、しかし、各セルに特有である。当然のことながら、実際には、性能統計値、及び最適な位相の判定は、同様に、各ＵＥに特有であり得る。すなわち、性能統計値は、異なる位相においてセル内の異なるＵＥに対して生成されると共に、異なるＵＥの最適な位相は、性能統計値の結果に従って判定される。ＵＥ特有の性能統計値のモードは、統計値がセル内の各ＵＥに対して生成されるということを除けば、基本的には、セル特有の性能統計値のモードと同じである。詳細は、下記で説明される。
【００８９】
最初に、ＵＥ特有の性能統計値に関連しているパラメータが、テーブル４において説明される。
【００９０】
【表４】
2013535138.tif 000017
【００９１】
ＣＱＩ統計値は、下記の方法において生成される：
“ＣｑｉＳｕｍ［ｍ］［ＰｒｄＣｎｔ］＋＝報告されたＣＱＩ”；
“ＣｑｉＣｎｔ［ｍ］［ＰｒｄＣｎｔ］＋＋”。
【００９２】
異なる位相における性能フィルタ処理は、下記の方法において、各ＵＥに関して実行される。
【００９３】
セルにおける各ＵＥに関して、“ｉ＝０：ＴｒａｉｎＰｒｄ−１”において、循環的に（cyclically）、“ＣｑｉＭｅａｎ［ｍ］［ｉ］＝ＣｑｉＳｕｍ［ｍ］［ｉ］／ＣｑｉＣｎｔ［ｍ］［ｉ］”を処理する。
【００９４】
異なるトレーニング期間におけるＣＱＩ統計値に関してアルファ（alpha）フィルタ処理を実行する：
“ＳｔｓＣｑｉ［ｍ］［ＰｒｄＣｎｔ］＝ＳｔｓＣｑｉ［ｍ］［ＰｒｄＣｎｔ］×（１−ａｌｐｈａｌｏｃｋ）＋ＣｑｉＭｅａｎ［ｍ］［ｉ］×ａｌｐｈａｌｏｃｋ”。
【００９５】
最適な位相は、下記の方法において、各ＵＥに関して検出され得る。
【００９６】
セル内の各ＵＥに関して、“ＳｔｓＣｑｉ［ｍ］［０，・・・，ＴｒａｉｎＰｒｄ−１］”における最大値“ＭａｘＣｑｉ［ｍ］”を検出する。そのインデックスが“ｘ［ｍ］”であると仮定すると、最大値に対応する位相が最適な位相である。
【００９７】
各ＵＥに関して最適な位相が判定された後で、ロッキング判定は必要ではなく、そして動作ステージが直接始まる。動作ステージにおいて、ＵＥの最適な位相は、下記の１．または２．の方法において設定され得る。
【００９８】
１．最新のスケジューリングアルゴリズムに従ってＵＥをスケジュールする。第１のＵＥのような特定のＵＥをスケジュールする場合に、検出された第１のＵＥの最適な位相に従って、第１のＵＥの最適な位相を設定する。
【００９９】
２．判定されたＵＥの最適な位相を、特定の順序で、たとえば最適な位相の小さな値からより大きな値への順序で、ソート（sort）し、最適な位相の小さな値からより大きな値への順序で、ＵＥをスケジュールし、そして、第１のＵＥをスケジュールする場合に、判定された第１のＵＥの最適な位相を使用することによって、第１のＵＥの最適な位相を設定する。例えば、もし判定されたＵＥ  Ａの最適な位相がアルファ（α）、そして判定されたＵＥ  Ｂの最適な位相がベータ（β）であるならば、ＵＥ  Ａをスケジュールする場合にＵＥ  Ａの最適な位相をアルファ（α）として、そしてＵＥ  Ｂをスケジュールする場合にＵＥ  Ｂの最適な位相をベータ（β）として設定する。当然のことながら、ＵＥは、最適な位相の大きな値からより小さな値への順序でスケジュールされ得る。最適な位相の大きさの順にＵＥ全てをスケジュールする処理は、位相を２π範囲の範囲内でスイープ（sweep：掃引）することに相当する。
【０１００】
前述の方法では、ＵＥに特有の最適な位相が判定されると共に、最適な位相は、各ＵＥに関して別々に設定され得るので、従って、最適な位相は、ＵＥに特有であると共に、各ＵＥの性能は最適化されると共に、全体の性能が最適化される。
【０１０１】
更に、現在の最適な位相に基づいて、もしそれらの位相が再びスイープ（sweep：掃引）される必要があるならば、最適な位相を検出するために、［０，２π］における全ての位相を旋回する代わりに、位相を最適な位相の左側から右側にスイープすることが適切である。図７において示されたように、本発明の別の実施例では、アンテナ間の電力の平衡を保つための方法において、最適な位相の左側から右側に対する位相は、最適な位相を検出するためにスイープされると共に、スイープする処理は、下記のステップを含む。
【０１０２】
ステップ７１：前回の動作期間において判定された最適な位相に基づいて、前回の動作期間において判定された最適な位相の左側から右側に対する位相を設定する。
【０１０３】
位相を前回の動作期間において判定された最適な位相の左側から右側に設定する方法は、下記のとおりであり得る。
【０１０４】
前回の動作期間において判定された最適な位相が“ＯｐｔｉｍｕｍＰｈａｓｅ”であると仮定すると、設定されるべき位相の範囲は、［“ＯｐｔｉｍｕｍＰｈａｓｅ−ｄ×θ１”，“ＯｐｔｉｍｕｍＰｈａｓｅ＋ｄ×θ１”］であり得ると共に、ここで、“２ｄ＋１”は、この位相スイープ処理において位相を更新する回数であり、“θ１”は、各位相調整の大きさであり、“ｄ”と“θ１”の値は任意に設定される。
【０１０５】
その位相は、位相を左から右にスイープする各調整期間“ＰｒｏＰｒｄ’”において調整され得る。当然のことながら、位相を最適な位相の左側から右側にスイープすると共に最適な位相を検出する期間は、“（２ｄ＋１）×ＰｒｏＰｒｄ’”である。この期間は、“位相を左から右にスイープする期間”と呼ばれる。位相を左から右にスイープする期間において、“ＰｒｄＣｎｔ”は、“ＰｒｏＰｒｄ’”の境界で変わり、“ＰｒｄＣｎｔ＋＋”、すなわち“ＰｒｄＣｎｔ”の値に１を加える。すなわち、“ＰｒｄＣｎｔ”の異なる値は、異なる位相に対応する。“ＰｒｄＣｎｔ”の値の範囲は、［−ｄ，ｄ］である。例えば、スイープされるべき開始位相が“ＯｐｔｉｍｕｍＰｈａｓｅ−ｄ×θ１”であると仮定すると、次の調整された位相は、“ＯｐｔｉｍｕｍＰｈａｓｅ＋（−ｄ＋１）×θ１”である。位相を左から右にスイープする調整期間“ＰｒｏＰｒｄ’”は、実際の必要性に従って設定され得る。
【０１０６】
ステップ７２：異なる位相の性能に関する統計値を生成する。
【０１０７】
上述のステップ７１では、“２ｄ＋１”個の位相が存在する。位相を左から右にスイープする異なるステージの同一の位相におけるＣＱＩ合計値を獲得するために、“２ｄ＋１”個の位相において、性能統計値が、ＵＥによって報告されたＣＱＩに従って生成される。詳細な統計方法（statistic mode）に関しては、ステップ６２における説明を参照すること。
【０１０８】
ステップ７３：異なる位相の性能をフィルタ処理する。
【０１０９】
異なる位相の性能をフィルタ処理する方法は、ステップ６３における異なる位相の性能をフィルタ処理する方法と類似しているが、しかし、ステップ７３においてロッキング判定が必要とされないという点で差異がある。例えば、同一の位相におけるＣＱＩ平均値、すなわち“ＣｑｉＭｅａｎ’［ｉ］”が計算され得る。
【０１１０】
例えば、“ｉ＝−ｄ：ｄ”において、“ＣｑｉＭｅａｎ’［ｉ］＝ＣｑｉＳｕｍ’［ｉ］／ＣｑｉＣｎｔ’［ｉ］”である。
【０１１１】
“ＣｑｉＭｅａｎ’［ｉ］”は、ステップ７１の位相設定方法において合計された同一の位相におけるＣＱＩ平均値であり、“ＣｑｉＳｕｍ’［ｉ］”は、各位相において合計されたＣＱＩ合計値であり、そして、“ＣｑｉＣｎｔ’［ｉ］”は、各位相において合計された、報告されたＣＱＩの数である。
【０１１２】
下記のフィルタ処理操作を通して、ＣＱＩ統計値に関するアルファ（alpha）フィルタ処理の結果が獲得される：
“ＳｔｓＣｑｉ’［ＰｒｄＣｎｔ］＝ＳｔｓＣｑｉ’［ＰｒｄＣｎｔ］×（１−ａｌｐｈａｌｏｃｋ）＋ＣｑｉＭｅａｎ’［ｉ］×ａｌｐｈａｌｏｃｋ”。
【０１１３】
“ＳｔｓＣｑｉ’［ＰｒｄＣｎｔ］”は、位相を左から右にスイープする期間におけるＣＱＩ統計値である。
【０１１４】
ステップ７４：全ての位相が旋回されているかどうかを判断する。
【０１１５】
全ての位相が旋回されているかどうかを判断することは、位相を左から右にスイープする期間が完了されているかどうかを判断することによって実施され得る。もし全ての位相が旋回されているならば、その手順はステップ７５に進行し、もし全ての位相が旋回されていないならば、その手順はステップ７１に戻り、次の位相が出力信号の間の位相差を調整するために使用される。
【０１１６】
ステップ７５：最適な位相を捜す。
【０１１７】
“ＳｔｓＣｑｉ［−ｄ，ｄ］”における最大値を検出する。最大値に対応する位相が、最適な位相である。最大値に対応する位相（すなわち最適な位相）のインデックスは、“ｙ”であると見なされ、すなわち“ＯｐｔｉｍｕｍＰｈａｓｅＩｄｙ＝ｙ”である。
【０１１８】
もし“ＳｔｓＣｑｉ［−ｄ，ｄ］”の中に最大値が１つだけが存在するならば、最大値に対応する位相は、最適な位相として使用され、一方、もし“ＳｔｓＣｑｉ［−ｄ，ｄ］”の中に最大値として２つ以上の同じ値が存在するならば、最適な位相が検出されないとみなされ、そして、前回の動作期間における最適な位相が、最適な位相として使用され得る。
【０１１９】
ステップ７５の後で、動作ステージに入るようにステップ７６が実行され得る。
【０１２０】
ステップ７６：動作状態に入る場合に、計数するためのカウンタを開始し、ステップ７５において判定された最適な位相を使用することによって、物理アンテナ信号を調整し続ける。
【０１２１】
ステップ７７：動作期間が現在存続しているかどうかを判断するために、カウンタのカウント値を設定された動作期間と比較し、もし動作期間が現在存続しているならば（例えば、もしカウント値が動作期間の値より小さいならば）、ステップ７６を実行し続け、もし動作期間が現在存続していないならば、動作ステージを終了し、位相を左から右にスイープするステージに入り、ステップ７１に進行する。
【０１２２】
当然のことながら、図７における最適な位相を判定する処理は、位相を左から右にスイープするステージと呼ばれ得る。
【０１２３】
前述の実施例において、最適な位相は、位相を左から右にスイープすることによって判定され、それは、低コストで新しい最適な位相の高速なトラッキングを可能にする。
【０１２４】
更に、トレーニングステージ、または位相を左から右にスイープするステージが始まるかどうかを判断するために、図６及び図７において示された実施例に基づいて、自動位相制御（ＡＰＣ）動作期間が加えられ得る。すなわち、動作期間が現在存続していないと判定された後で、すなわち動作期間が満了したと判定された後で（動作期間の満了は動作期間が終了したことを意味する）、ＡＰＣ動作期間が満了したかどうかが更に判断される。もしＡＰＣ動作期間が満了していなかったならば（ＡＰＣ動作期間の満了はＡＰＣ動作期間が終了したことを意味する）、図７における位相を左から右にスイープするステージが始まり、一方、もしＡＰＣ動作期間が満了していたならば、ステップ６１からステップ６６において説明されたトレーニングステージが始まる。詳細な手順に関しては図８を参照すること。図８は、ＡＰＣ動作期間を制御する処理の概略図であり、それは、トレーニングステージ及び位相を左から右にスイープするステージの完全な処理を例証しない。更なる詳細に関しては、図６及び図７における実施例を参照すること。
【０１２５】
ＡＰＣ動作期間は、少なくとも１つのトレーニング期間、少なくとも２つの動作期間、及び位相を左から右にスイープする少なくとも１つの期間を含む。例えば、“ＡＰＣ動作期間＝１つのトレーニング期間＋（Ｎ＋１）×動作期間＋Ｎ×位相を左から右にスイープする期間”であり、ここで、Ｎは、任意に設定された自然数である。
【０１２６】
当然のことながら、カウンタまたはタイマが、ＡＰＣ動作期間が現在存続しているかどうかを判断するために使用され得る。
【０１２７】
図９は、本発明の実施例によるアンテナ間の電力の平衡を保つための装置の概略の構成図である。図９において示されたように、装置は、行列処理モジュール９１、位相回転モジュール９２、及びアンテナ９３を備える。行列処理モジュール９１は、ｎ個の仮想アンテナ信号に直交行列を乗算して、ｎ個の中間調節信号を獲得するように構成され、ここでｎは、“ｎ≧２”を満たす整数である。位相回転モジュール９２は、アンテナによって出力されるｎ個の物理アンテナ信号の内の少なくとも２個の間に位相差が存在するように、対応する回転位相を使用してｎ個の中間調節信号の内のｍ個の位相を回転させるように構成され、ここでｍは、“１≦ｍ≦ｎ”を満たす整数である。“ｍ＜ｎ”の場合に、物理アンテナ信号は、位相が回転されない中間調節信号を含む。アンテナ９３は、ｎ個の物理アンテナ信号を出力するように構成される。位相回転モジュール９２は、特に、位相を回転させるために、ｍ個の中間調節信号に、
【数１２】
2013535138.tif 000018
を乗算するように構成され得ると共に、ここで“θｐ”は、ｍ個の中間調節信号に対応する回転位相であり、ｐは、“１”から“ｍ”である。
【０１２８】
この実施例におけるアンテナ間の電力の平衡を保つための装置は、更に、事前に設定された期間が満了するか、もしくは事前に設定された条件が満たされるときに、２π期間の範囲内で“θｐ”の値を更新するように構成される位相更新モジュール９４を備え得る。“θｐ”の値の更新は、“θｐ＝前回の位相回転の位相＋２π／ＰｈａｓｅＮｕｍ”とすることを含み、ここで、“ＰｈａｓｅＮｕｍ”は、事前に設定された２π期間内で“θｐ”の値を更新する回数である。この場合、位相回転モジュール９２は、特に、続いて、更新された“θｐ”を使用してｍ個の中間調節信号の位相を回転させるように構成される。
【０１２９】
位相更新モジュール９４は、更に、２π期間の範囲内で“θｐ”の値を更新する回数が“ＰｈａｓｅＮｕｍ”より少ない場合に、“θｐ”の値を更新し続けるように構成される。
【０１３０】
この実施例におけるアンテナ間の電力の平衡を保つための装置は、更に、第１ＣＱＩ統計値獲得モジュール９５、第１最大ＣＱＩ統計値獲得モジュール９６、及び第１最適位相判定モジュール９７を備え得る。
【０１３１】
第１ＣＱＩ統計値獲得モジュール９５は、各回転位相においてＵＥによって報告されたロッキング判定のためのＣＱＩ統計値を獲得するように構成される。第１最大ＣＱＩ統計値獲得モジュール９６は、ロッキング判定のために獲得された全てのＣＱＩ統計値の中の最大のＣＱＩ統計値を検出するように構成される。第１最適位相判定モジュール９７は、ロッキング判定のためのＣＱＩ統計値に従って、最大のＣＱＩ統計値に対応する位相をロックするかどうかを判定するように構成される。
【０１３２】
第１ＣＱＩ統計値獲得モジュール９５は、更に、第１ＣＱＩ平均サブモジュール９５１、及び第１フィルタ処理サブモジュール９５２を備え得る。
【０１３３】
第１ＣＱＩ平均サブモジュール９５１は、少なくとも１つの２π期間内の同一の回転位相において報告されたＣＱＩを平均すると共に、同一の回転位相におけるＣＱＩ平均値を獲得するように構成される。第１フィルタ処理サブモジュール９５２は、同一の回転位相におけるＣＱＩ平均値をフィルタ処理して、各回転位相におけるロッキング判定のためのＣＱＩ統計値を獲得するように構成される。
【０１３４】
第１最適位相判定モジュール９７は、最適位相獲得サブモジュール９７１、第１平均値獲得サブモジュール９７２、第２平均値獲得サブモジュール９７３、第３平均値獲得サブモジュール９７４、第４平均値獲得サブモジュール９７５、及び位相ロッキング判定サブモジュール９７６を備える。
【０１３５】
最適位相獲得サブモジュール９７１は、最大のＣＱＩ統計値に従って最適位相を検出するように構成され、ここで、最適値は最大のＣＱＩ統計値に対応する位相である。第１平均値獲得サブモジュール９７２は、最新の２π期間内の各回転位相におけるロッキング判定のためのＣＱＩ統計値を平均して第１の平均値を獲得するように構成される。第２平均値獲得サブモジュール９７３は、インデックスが［“前記最適位相のインデックス”−“２π期間内でθｐの値を更新する回数／４”，“前記最適位相のインデックス”＋“２π期間内でθｐの値を更新する回数／４”］の範囲内に入る位相におけるロッキング判定のためのＣＱＩ統計値を平均して第２の平均値を獲得するように構成される。第３平均値獲得サブモジュール９７４は、位相回転に関する全ての位相に従って獲得される非ロッキング判定のためのＣＱＩ統計値を平均して第３の平均値を獲得するように構成される。第４平均値獲得サブモジュール９７５は、インデックスが［“前記最適位相のインデックス”−“２π期間内でθｐの値を更新する回数／４”，“前記最適位相のインデックス”＋“２π期間内でθｐの値を更新する回数／４”］の範囲内に入る位相における非ロッキング判定のための前記ＣＱＩ統計値を平均して第４の平均値を獲得するように構成される。位相ロッキング判定サブモジュール９７６は、第１の平均値、第２の平均値、第３の平均値、及び第４の平均値に従って、最適位相をロックするかどうかを判定するように構成される。例えば、位相ロッキング判定サブモジュール９７６は、特に、もし第４の平均値と第３の平均値との間の差異が、非ロッキング状態判定しきい値より大きく、第２の平均値と第１の平均値との間の差異が、ロッキング状態判定しきい値より大きく、そして第４の平均値と第３の平均値との間の差異が、ロッキング状態判定しきい値より大きいならば最適位相をロックするように構成される。
【０１３６】
位相回転モジュール９２は、特に、最適位相がロックされた後でロックされた最適位相を使用することによってｍ個の中間調節信号の位相を回転させるように構成され得る。
【０１３７】
この実施例におけるアンテナ間の電力の平衡を保つための装置は、更に、最適な位相のロッキングの状態に従って動作状態ロッキングフラグの値を設定するように構成される動作状態設定モジュール９８を備え得る。例えば、動作状態設定モジュール９８は、最適な位相がロックされていない場合に、動作状態ロッキングフラグの値を“０”に設定すると共に、最適な位相がロックされている場合に、動作状態ロッキングフラグの値を“１”に設定し、ここで、ロッキングフラグは、最適な位相のロッキングの指標（indication）である。動作状態ロッキングフラグの値の意味に関しては、上述の方法の実施例における説明を参照すること。
【０１３８】
この実施例におけるアンテナ間の電力の平衡を保つための装置は、更に、設定された動作期間に従って最適な位相を使用することによってｍ個の中間調節信号に関する位相回転を継続するかどうかを判断するように構成されるロッキング継続判断モジュール９９を備え得る。詳細な判断方法に関しては、上述の方法の実施例における説明を参照すること。
【０１３９】
この実施例におけるアンテナ間の電力の平衡を保つための装置は、更に、ＵＥのダイバシティ利得を利用してセルのスループットを向上させるように、ＰＦスケジューリングアルゴリズムを通してＵＥをスケジュールするように構成される第１スケジューリングモジュールを備え得る。更に、対応するスケジューリングアルゴリズムは、ＨＳＤＰＡの性能を高めることができる。
【０１４０】
この実施例におけるアンテナ間の電力の平衡を保つための装置の詳細な実施及び相互作用過程（interaction process）に関しては、上述の対応する方法の実施例を参照すること。ここでは、再びその説明は行われないであろう。
【０１４１】
この実施例において、アンテナ間の電力の平衡を保つための装置は、仮想アンテナ信号にＶＡＭ行列を乗算することの結果として獲得された信号に関する位相を回転させ、従って、アンテナによって出力される信号は、異なる（different：様々な）位相を生成する。偏波アンテナに関して、出力信号の異なる（different：様々な）位相は、ＨＳＤＰＡの性能を変動させると共に、アンテナ間の電力の平衡が維持される一方で、ＨＳＤＰＡの性能が向上する。
【０１４２】
セル特有の最適な位相の検査に加えて、ＵＥ特有の最適な位相が同様に検査され得る。本発明の別の実施例は、行列処理モジュールと、位相回転モジュールと、アンテナと備え得るアンテナ間の電力の平衡を保つための装置を提供する。
【０１４３】
行列処理モジュールは、ｎ個の仮想アンテナ信号に直交行列を乗算して、ｎ個の中間調節信号を獲得するように構成され、ここでｎは、“ｎ≧２”を満たす整数である。位相回転モジュールは、アンテナによって出力されるｎ個の物理アンテナ信号の内の少なくとも２個の間に位相差が存在するように、対応する回転位相を使用してｎ個の中間調節信号の内のｍ個の位相を回転させるように構成され、ここでｍは、“１≦ｍ≦ｎ”を満たす整数である。“ｍ＜ｎ”の場合に、物理アンテナ信号は、位相が回転されない中間調節信号を含む。アンテナは、ｎ個の物理アンテナ信号を出力するように構成される。位相回転モジュールは、特に、位相を回転させるために、ｍ個の中間調節信号に、
【数１３】
2013535138.tif 000019
を乗算するように構成され得ると共に、ここで“θｐ”は、ｍ個の中間調節信号に対応する回転位相であり、ｐは、“１”から“ｍ”である。
【０１４４】
装置は、更に、事前に設定された期間が満了するか、もしくは事前に設定された条件が満たされるときに、２π期間の範囲内で“θｐ”の値を更新するように構成される位相更新モジュールを備え得る。“θｐ”の値の更新は、“θｐ＝前回の位相回転の位相＋２π／ＰｈａｓｅＮｕｍ”とすることを含み、ここで、“ＰｈａｓｅＮｕｍ”は、事前に設定された２π期間内で“θｐ”の値を更新する回数である。この場合、位相回転モジュールは、特に、続いて、更新された“θｐ”を使用してｍ個の中間調節信号の位相を回転させるように構成される。
【０１４５】
装置は、更に、第２ＣＱＩ統計値獲得モジュール、第２最大ＣＱＩ統計値獲得モジュール、及び第２最適位相判定モジュールを備え得る。
【０１４６】
第２ＣＱＩ統計値獲得モジュールは、各回転位相における各ＵＥに特有のＣＱＩ統計値を獲得するように構成される。第２最大ＣＱＩ統計値獲得モジュールは、獲得されたＵＥ特有のＣＱＩ統計値の中の各ＵＥに特有の最大のＣＱＩ統計値を検出するように構成される。第２最適位相判定モジュールは、各ＵＥに特有の最大のＣＱＩ統計値に対応する位相をＵＥの最適な位相として使用するように構成される。
【０１４７】
第２ＣＱＩ統計値獲得モジュールは、第２ＣＱＩ平均サブモジュール、及び第２フィルタ処理サブモジュールを備え得る。
【０１４８】
第２ＣＱＩ平均サブモジュールは、少なくとも１つの２π期間内の同一の回転位相において各ＵＥによって報告されたＣＱＩを平均すると共に、同一の回転位相における各ＵＥのＣＱＩ平均値を獲得するように構成される。第２フィルタ処理サブモジュールは、同一の回転位相における各ＵＥのＣＱＩ平均値をフィルタ処理して、各回転位相における各ＵＥのＣＱＩ統計値を獲得するように構成される。
【０１４９】
当然のことながら、この実施例において、動作ステージは、第２最適位相判定モジュールが各ＵＥの最適な位相を判定した後で始まり得る。更に、この実施例における装置は、第２スケジューリングモジュールを備え得る。第２スケジューリングモジュールは、最新のスケジューリングアルゴリズムに従ってＵＥをスケジュールするように構成されると共に、第１のＵＥをスケジュールする場合に、第２最適位相判定モジュールによって検出された第１のＵＥの最適な位相に従って、第１のＵＥの最適な位相を設定する。その代わりに、第２スケジューリングモジュールは、判定されたＵＥの最適な位相を、特定の順序で、たとえば最適な位相の小さな値からより大きな値への順序で、ソート（sort）し、最適な位相の小さな値からより大きな値への順序で、ＵＥをスケジュールし、そして、第１のＵＥをスケジュールする場合に、判定された第１のＵＥの最適な位相を使用することによって、第１のＵＥの最適な位相を設定する。例えば、もし判定されたＵＥ  Ａの最適な位相がアルファ（α）、そして判定されたＵＥ  Ｂの最適な位相がベータ（β）であるならば、第２スケジューリングモジュールは、ＵＥ  Ａをスケジュールする場合にＵＥ  Ａの最適な位相をアルファ（α）として、そしてＵＥ  Ｂをスケジュールする場合にＵＥ  Ｂの最適な位相をベータ（β）として設定する。当然のことながら、ＵＥは、更に、最適な位相の大きな値からより小さな値への順序でスケジュールされ得る。最適な位相の大きさの順に全てのＵＥをスケジュールする処理は、位相を２πの範囲内でスイープすることに相当する。
【０１５０】
前述の方法では、ＵＥに特有の最適な位相が判定されると共に、最適な位相は、各ＵＥに関して別々に設定され得るので、従って、最適な位相はＵＥに特有であると共に、各ＵＥの性能が最適化され、全体の性能が最適化される。
【０１５１】
更に、現在の最適な位相に基づいて、もしそれらの位相が再びスイープされる必要があるならば、位相を、ただ単に左から右にスイープすることが適切である。図９において示された装置に基づいて、本発明の実施例は、アンテナ間の電力の平衡を保つための装置を提供する。その装置は、第２位相更新モジュールを備え得る。
【０１５２】
第２位相更新モジュールは、前回の動作期間において判定された最適な位相を中心とすることによって、位相を、前回の動作期間において判定された最適な位相の左側から右側に設定するように構成される。位相の設定は、位相を左から右にスイープする各調整期間において、それぞれ位相の値を［“ＯｐｔｉｍｕｍＰｈａｓｅ−ｄ×θ１”，“ＯｐｔｉｍｕｍＰｈａｓｅ＋ｄ×θ１”］内で更新することを含み、ここで、“ＯｐｔｉｍｕｍＰｈａｓｅ”は、前回の動作期間において判定された最適な位相であり、“２ｄ＋１”は、位相スイープ処理において位相を更新する回数であり、“θ１”は、各位相更新の大きさである。
【０１５３】
前述の説明では、“ｄ”及び“θ１”は、任意の値に設定され得る。例えば、スイープされるべき開始位相が“ＯｐｔｉｍｕｍＰｈａｓｅ−ｄ×θ”であると仮定すると、次の調整された位相は、“ＯｐｔｉｍｕｍＰｈａｓｅ＋（−ｄ＋１）×θ”である。
【０１５４】
位相回転モジュールは、更に、第２位相更新モジュールによって設定された位相に従って、位相回転を実行するように構成され得る。
【０１５５】
装置は、更に、位相を左から右にスイープする異なるステージの同一の位相におけるＣＱＩ合計値を獲得するために、ＵＥによって報告された、位相を左から右にスイープするステージの“２ｄ＋１”個の位相におけるＣＱＩを合計するように構成される合計モジュールを備える。
【０１５６】
例えば、下記の方法において獲得する：
“ＣｑｉＳｕｍ［ＰｒｄＣｎｔ’］＋＝報告されたＣＱＩ”；
“ＣｑｉＣｎｔ［ＰｒｄＣｎｔ’］＋＋”。
【０１５７】
装置は、更に、合計モジュールによって獲得された同一の位相におけるＣＱＩ合計値に従って、同一の位相におけるＣＱＩ平均値を獲得すると共に、平均値に従って、フィルタ処理されたＣＱＩ統計値を獲得するように構成されるフィルタ処理モジュールを備え得る。フィルタ処理されたＣＱＩ統計値を獲得する方法は、“ＳｔｓＣｑｉ’［ＰｒｄＣｎｔ］＝ＳｔｓＣｑｉ’［ＰｒｄＣｎｔ］×（１−ａｌｐｈａｌｏｃｋ）＋ＣｑｉＭｅａｎ’［ｉ］×ａｌｐｈａｌｏｃｋ”とし、ここで、“ＣｑｉＭｅａｎ’［ｉ］”は、同一の位相におけるＣＱＩ平均値であり、“ＳｔｓＣｑｉ’［ＰｒｄＣｎｔ］”は、ＣＱＩ統計値である。
【０１５８】
装置は、更に、全ての位相が旋回されているかどうかを判断する、すなわち位相を更新する回数が“２ｄ＋１”回に到達しているかどうかを判断するように構成される旋回判断モジュールを備え得る。位相を更新する回数が“２ｄ＋１”回に到達する前に、第２位相更新モジュールは位相を設定し続けると共に、位相回転モジュールは、次の位相を使用して出力信号の間の位相差を調整する。
【０１５９】
装置は、更に、全ての位相におけるフィルタ処理されたＣＱＩ統計値の中の最大値を判定すると共に、最大値に対応する位相を最適位相として判定するように構成される最適位相検出モジュールを備え得る。
【０１６０】
もし“ＳｔｓＣｑｉ［−ｄ，ｄ］”の中に１つの最大値だけが存在するならば、最適位相検出モジュールは最大値に対応する位相を最適な位相として使用し、一方、“ＳｔｓＣｑｉ［−ｄ，ｄ］”の中に最大値として２つ以上の同じ値が存在するならば、最適な位相が検出されないとみなされ、最適位相検出モジュールは前回の動作期間における最適な位相を最適な位相として使用する。
【０１６１】
この実施例の装置におけるロッキング継続判断モジュールは、更に、最適位相検出モジュールが最適な位相を判定した後でカウンタを開始し、動作期間が満了する前に最適位相検出モジュールにより判定された最適な位相を使用することによって、物理アンテナ信号を調整し続け、そして、動作期間が満了するときに、位相を左から右にスイープするステージに入るように第２位相更新モジュールを起動するように構成され得る。
【０１６２】
この実施例の装置は、位相を左から右にスイープすることによって最適な位相を判定し、それは、低コストで新しい最適な位相の高速トラッキングを可能にする。
【０１６３】
装置は、更に、動作期間の満了を判断した場合に、ＡＰＣ動作期間が満了しているかどうかを判断し、もしＡＰＣ動作期間が満了していなかった場合、位相を左から右にスイープするステージに入るように第２位相更新モジュールを起動し、または、もしＡＰＣ動作期間が満了していた場合、トレーニングステージに入るように位相更新モジュール９４を起動するように構成されるＡＰＣ動作期間判断モジュールを備える。ＡＰＣ動作期間は、少なくとも１つのトレーニング期間、少なくとも２つの動作期間、及び位相を左から右にスイープする少なくとも１つの期間を含む。例えば、“ＡＰＣ動作期間＝１つのトレーニング期間＋（Ｎ＋１）×動作期間＋Ｎ×位相を左から右にスイープする期間”であり、ここで、Ｎは、任意に設定された自然数である。当然のことながら、カウンタまたはタイマが、ＡＰＣ動作期間が現在存続しているかどうかを判断するために使用され得る。
【０１６４】
アンテナ間の電力の平衡を保つための装置のモジュールまたはサブモジュールの詳細な実施及び相互作用過程（interaction process）に関しては、上述の対応する方法の実施例を参照すること。
【０１６５】
図１０は、本発明の実施例による基地局の概略の構成図である。図１０において示されたように、基地局は、アンテナ間の電力の平衡を保ちながらＨＳＤＰＡの性能を高めるように構成される装置１０１を備える。装置１０１は、上述の装置の実施例のいずれかにおいて提供されるアンテナ間の電力の平衡を保つための装置であり得る。
【０１６６】
この実施例において、アンテナ間の電力の平衡を保つための装置を通して、基地局は、仮想アンテナ信号にＶＡＭ行列を乗算した結果として獲得される信号に関する位相を回転させると共に、従って、アンテナによって出力される信号は、異なる（different：様々な）位相を生成する。偏波アンテナに関して、出力信号の異なる（different：様々な）位相は、ＨＳＤＰＡの性能を変動させると共に、アンテナ間の電力の平衡が維持される一方で、ＨＳＤＰＡの性能が向上する。
【０１６７】
当業者は、本発明の実施例による方法のステップの全部または一部が関連したハードウェアに命令するプログラムによって実施され得るということを理解するべきである。そのプログラムは、コンピュータ読み取り可能な記憶媒体に格納され得る。プログラムが実行される場合に、本発明の実施例で特定される方法のステップが実行される。記憶媒体は、読み出し専用メモリ（Read-Only Memory：ＲＯＭ）、ランダムアクセスメモリ（Random-Access Memory：ＲＡＭ）、磁気ディスク、あるいはＣＤ−ＲＯＭのような、プログラムコードを格納することができる、あらゆる媒体であり得る。
【０１６８】
最終的に、上述の実施例は、単に本発明の技術的解決法を説明するために提供されるが、しかし本発明を限定することを意図していない、ということに注意するべきである。本発明が実施例を参照して詳細に説明されたが、実施例において説明された技術的解決法に対する変更が、あるいは、技術的解決法におけるいくらかの技術的な特徴に対する同等の置き換えが、そのような変更または置き換えが本発明の精神及び範囲からはずれない限り行われ得るということが、当業者によって理解されるべきである。
【符号の説明】
【０１６９】
９１    行列処理モジュール
９２    位相回転モジュール
９３    アンテナ
９４    位相更新モジュール
９５    ＣＱＩ統計値獲得モジュール
９５１    ＣＱＩ平均サブモジュール
９５２    フィルタ処理サブモジュール
９６    最大ＣＱＩ統計値獲得モジュール
９７    最適位相判定モジュール
９７１    最適位相獲得サブモジュール
９７２    第１平均値獲得サブモジュール
９７３    第２平均値獲得サブモジュール
９７４    第３平均値獲得サブモジュール
９７５    第４平均値獲得サブモジュール
９７６    位相ロッキング判定サブモジュール
９８    動作状態設定モジュール
９９    ロッキング継続判断モジュール
１０１    装置
【図１】
2013535138.tif 000022
【図２】
2013535138.tif 000023
【図３】
2013535138.tif 000024
【図４】
2013535138.tif 000025
【図５】
2013535138.tif 000026
【図６】
2013535138.tif 000027
【図７】
2013535138.tif 000028
【図８】
2013535138.tif 000029
【図９】
2013535138.tif 000030
【図１０】
2013535138.tif 000031
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
アンテナ間の電力の平衡を保つための方法であって、
ｎ個の仮想アンテナ信号に直交行列を乗算してｎ個の中間調節信号を獲得する段階と、
アンテナによって出力されるｎ個の物理アンテナ信号の内の少なくとも２個の間に位相差が存在するように、対応する回転位相を使用してｎ個の中間調節信号の内のｍ個の位相を回転させる段階とを含み、
“ｎ”は、“ｎ≧２”を満たす整数であり、
“ｍ”は、“１≦ｍ≦ｎ”を満たす整数である、方法。
【請求項２】
前記対応する回転位相を使用して前記ｎ個の中間調節信号の内の前記ｍ個の位相を回転させる前記段階が、
前記ｍ個の中間調節信号に
【数１】
2013535138.tif 000032
を乗算する段階を含み、
“θｐ”は、前記ｍ個の中間調節信号に対応する回転位相であり、“ｐ”は、前記中間調節信号の連続番号であり、“ｐ∈［１，ｍ］”である、請求項１に記載の方法。
【請求項３】
前記アンテナを通して前記ｎ個の物理アンテナ信号を出力する段階を更に含む、請求項１または請求項２に記載の方法。
【請求項４】
前記アンテナを通して前記ｎ個の物理アンテナ信号を出力する前記段階の後に、前記方法が、
各回転位相におけるロッキング判定のためのチャネル品質表示，ＣＱＩ，統計値を獲得する段階と、
ロッキング判定のための獲得されたＣＱＩ統計値の中の最大のＣＱＩ統計値を検出する段階と、
ロッキング判定のための前記ＣＱＩ統計値を使用することによって前記最大のＣＱＩ統計値に対応する位相をロックするかどうかを判定する段階とを更に含む、請求項３に記載の方法。
【請求項５】
もし前記最適位相が前回の動作期間において既に存在するならば、現在の最適位相を中心とすることによって位相を設定する段階を更に含む、請求項１から請求項４のいずれか一項に記載の方法。
【請求項６】
前記アンテナを通して前記ｎ個の物理アンテナ信号を出力する前記段階の後に、前記方法が、
各回転位相における各ユーザ装置に特有のＣＱＩ統計値を獲得する段階と、
各ユーザ装置に特有の前記ＣＱＩ統計値に従って、各ユーザ装置の最大のＣＱＩ統計値を判定する段階と、
各ユーザ装置の前記最大のＣＱＩ統計値に対応する位相を前記ユーザ装置の最適位相として判定する段階とを更に含む、請求項３に記載の方法。
【請求項７】
各ユーザ装置の前記最大のＣＱＩ統計値に対応する前記位相を前記ユーザ装置の前記最適位相として判定する前記段階の後に、前記方法が、
最新のスケジューリングアルゴリズムに従って前記ユーザ装置をスケジュールすると共に、第１のユーザ装置をスケジュールするときに、前記第１のユーザ装置の前記最適位相に従って、前記第１のユーザ装置の前記最適位相を設定する段階、あるいは、
各ユーザ装置の前記最適位相の大きさの順に前記ユーザ装置をスケジュールすると共に、前記第１のユーザ装置をスケジュールするときに、前記第１のユーザ装置の前記最適位相に従って、前記第１のユーザ装置の前記最適位相を設定する段階を更に含む、請求項６に記載の方法。
【請求項８】
アンテナ間の電力の平衡を保つための装置であって、
ｎ個の仮想アンテナ信号に直交行列を乗算して、ｎ個の中間調節信号を獲得するように構成される行列処理モジュールと、
アンテナによって出力されるｎ個の物理アンテナ信号の内の少なくとも２個の間に位相差が存在するように、対応する回転位相を使用してｎ個の中間調節信号の内のｍ個の位相を回転させるように構成される位相回転モジュールとを備え、
“ｎ”は、“ｎ≧２”を満たす整数であり、
“ｍ”は、“１≦ｍ≦ｎ”を満たす整数である、アンテナ間の電力の平衡を保つための装置。
【請求項９】
前記位相回転モジュールによって前記対応する回転位相を使用して前記ｎ個の中間調節信号の内の前記ｍ個の位相を回転させることが、
前記ｍ個の中間調節信号に
【数２】
2013535138.tif 000033
を乗算することを含み、
“θｐ”は、前記ｍ個の中間調節信号に対応する回転位相であり、“ｐ”は、前記中間調節信号の連続番号であり、“ｐ∈［１，ｍ］”である、請求項８に記載のアンテナ間の電力の平衡を保つための装置。
【請求項１０】
各回転位相におけるロッキング判定のためのチャネル品質表示，ＣＱＩ，統計値を獲得するように構成されるＣＱＩ統計値獲得モジュールと、
ロッキング判定のために獲得された全ての前記ＣＱＩ統計値の中の最大のＣＱＩ統計値を検出するように構成される最大ＣＱＩ統計値獲得モジュールと、
ロッキング判定のための前記ＣＱＩ統計値に従って、前記最大のＣＱＩ統計値に対応する位相をロックするかどうかを判定するように構成される最適位相判定モジュールとを更に備える、請求項８または請求項９に記載のアンテナ間の電力の平衡を保つための装置。
【請求項１１】
各回転位相における各ユーザ装置に特有のＣＱＩ統計値を獲得するように構成される第２ＣＱＩ統計値獲得モジュールと、
前記第２ＣＱＩ統計値獲得モジュールによって獲得された前記ユーザ装置に特有の前記ＣＱＩ統計値の中の各ユーザ装置に特有の最大のＣＱＩ統計値を検出するように構成される第２最大ＣＱＩ統計値獲得モジュールと、
各ユーザ装置に特有の前記最大のＣＱＩ統計値に対応する位相を前記ユーザ装置の最適位相として使用するように構成される第２最適位相判定モジュールとを更に備える、請求項８から請求項１０のいずれか一項に記載のアンテナ間の電力の平衡を保つための装置。
【請求項１２】
最新のスケジューリングアルゴリズムに従って前記ユーザ装置をスケジュールすると共に、第１のユーザ装置をスケジュールするときに、前記第２最適位相判定モジュールによって判定された前記第１のユーザ装置の前記最適位相に従って、前記第１のユーザ装置の前記最適位相を設定するか、あるいは、
各ユーザ装置の前記最適位相の大きさの順に前記ユーザ装置をスケジュールすると共に、前記第１のユーザ装置をスケジュールするときに、前記第２最適位相判定モジュールによって判定された前記第１のユーザ装置の前記最適位相に従って、前記第１のユーザ装置の前記最適位相を設定するように構成される第２スケジューリングモジュールを更に備える、請求項１１に記載のアンテナ間の電力の平衡を保つための装置。
【請求項１３】
前回の動作期間において判定された前記最適位相を中心とすることによって、位相を、前記前回の動作期間において判定された前記最適位相の左側から右側に設定するように構成される第２位相更新モジュールを更に備え、
前記位相回転モジュールが、前記第２位相更新モジュールによって設定された前記位相に従って、位相回転を実行するように更に構成される、請求項８から請求項１０のいずれか一項に記載のアンテナ間の電力の平衡を保つための装置。
【請求項１４】
請求項８から請求項１３のいずれか一項に記載のアンテナ間の電力の平衡を保つための装置を備える、基地局。
【請求項１５】
ｎ個の物理アンテナ信号を出力するように構成されるアンテナを更に備える、請求項１４に記載の基地局。
【請求項１６】
コンピュータに請求項１から請求項７のいずれか一項に記載の方法を実行させるプログラムが記録される、コンピュータ読み取り可能な記憶媒体。
【手続補正２】
【補正対象書類名】明細書
【補正対象項目名】００５３
【補正方法】変更
【補正の内容】
【００５３】
【表３】
2013535138.tif 000034
【国際調査報告】
2013535138.tif 000035
2013535138.tif 000036
2013535138.tif 000037
2013535138.tif 000038
2013535138.tif 000039
2013535138.tif 000040